(57)【要約】【課題】小物を入れるポーチにおいて、開けやすいうえに、収納物の取出しや口を閉じる作業に不都合が生じることがないようにして、使いやすくする。【解決手段】前面部１２と後面部１３が収納空間１４を挟んで相対向し底面部１５で連結一体化され、上面と両側面の三方が開く構造のポーチにおいて、前面部１２と後面部１３と底面部１５の内面に裏地２１を備えるとともに、裏地２１の外側に、前面部１２と底面部１５と後面部１３に沿ってのび、前面部１２と後面部１３が離間する方向に付勢する帯状をなす金属製の板ばね２２を備える。【選択図】図１
0003200976.tif 000002
【実用新案登録請求の範囲】
【請求項１】
前面部と後面部が収納空間を挟んで相対向し底面部で連結一体化され、上面と両側面の三方が開く構造のポーチであって、
前記前面部と前記後面部と前記底面部の内面に裏地を備えるとともに、
該裏地の外側に、前記前面部と前記底面部と前記後面部に沿ってのび、前記前面部と前記後面部が離間する方向に付勢する帯状をなす金属製の板ばねを備えた
ポーチ。
【請求項２】
前記板ばねが、前記前面部と前記後面部と前記底面部に比べてそれらの幅の４分の１よりも狭い細幅であり、
該板ばねを前記前面部と前記後面部と前記底面部の幅方向の中間に１本備えた
請求項１に記載のポーチ。
【請求項３】
前記板ばねの両端部の外側に、それぞれ前記前面部と前記後面部の上部に対応する形状で可撓性を有する補助プレートを備えた
請求項１または請求項２に記載のポーチ。
【請求項４】
前記裏地における前記板ばねが備えられる部位の周囲に、縫い付けられる他の部材との協働で前記板ばねを保持する縫い目が形成された
請求項１から請求項３のうちいずれか一項に記載のポーチ。
【請求項５】
前記前面部または前記後面部のうち少なくとも一方の外面であって前記板ばねに対応する部位に、前記外面にポケットを形成するためのシート状のポケット形成シート部が重ねられた
請求項１から請求項４のうちいずれか一項に記載のポーチ。
【考案の詳細な説明】
【技術分野】
【０００１】
この考案は、たとえば小銭や紙幣、化粧品、筆記具などの各種の小物を入れる容器に関し、より詳しくは、開けやすくて使いやすいポーチに関する。
【背景技術】
【０００２】
開けやすいポーチとして下記特許文献１に開示されたものがある。これは、前面部と後面部が収納空間を挟んで相対向し底面部で連結一体化され、上面と両側面の三方が開く構造のポーチにおいて、開口した時に離れる前面部と後面部の内面に樹脂製の板部材を備えた構成である。板部材は前面部と後面部の幅の三分の一以上の幅広で長方形の板状であり、幅方向の両端部が前面部と後面部の上端部に固定されている。このため板状部は、ポーチを閉じた状態において断面略Ｕ字状になる。
【０００３】
このポーチでは、開口すると板部材の付勢力で前面部と後面部の上端部が互いに離れて広い開口が自動的に得られる。そのうえ、板状部における底面部に対応する底部分が、開口に伴って上昇するので、収納物の取出しが容易にできるという効果もある。
【０００４】
しかし、板状部はポーチの内面に露出している。特に板状部は底面部から浮く構造であるので、収納物が板状部の下に潜り込んでしまうことがある。この場合には収納物の取出しができない上に、口を閉じる場合に余計な負荷が開口のスライドファスナにかかることになる。
【０００５】
下記特許文献２にも、特許文献１のポーチと同様に開口しやすくしたポーチが開示されている。このポーチは、特許文献１の板状部に相当するプレート部を、取外し可能に備えている。これは、樹脂製のプレート部を長期間使用していると折り曲がり癖がついてしまうからであり、取り外して平らに延ばすようにして復元力を回復できるようにするためである。
【０００６】
理由はともあれ、このようにプレート部が取り外し可能であれば、収納物の取出しができないことはない。
【０００７】
しかしながら、その都度プレート部を外すのは面倒であるばかりか、プレート部の下に収納物がもぐりこんだまま口を閉じた場合の不都合は解消されない。
【先行技術文献】
【特許文献】
【０００８】
【特許文献１】登録実用新案第３１８２０６４号公報
【特許文献２】登録実用新案第３１９５６３６号公報
【考案の概要】
【考案が解決しようとする課題】
【０００９】
そこでこの発明は、開けやすいうえに、収納物の取出しや口を閉じる作業に不都合が生じることがなく使いやすくできるようにすることを主な目的とする。
【課題を解決するための手段】
【００１０】
そのための手段は、前面部と後面部が収納空間を挟んで相対向し底面部で連結一体化され、上面と両側面の三方が開く構造のポーチであって、前記前面部と前記後面部と前記底面部の内面に裏地を備えるとともに、該裏地の外側に、前記前面部と前記底面部と前記後面部に沿ってのび、前記前面部と前記後面部が離間する方向に付勢する帯状をなす金属製の板ばねを備えたポーチである。
【００１１】
この構成では、板ばねは、開口前において前面部と底面部と後面部に沿って略Ｕ字状に曲がっており、開口すると板ばねが両端部、つまり前面部と後面部を付勢力で離間させる方向に移動させ、収納空間を開いた開口状態を保つ。板ばねは、裏地の外側に備えられている。つまり内部に隠ぺいされており、裏地の外側で裏地と一体に変形する。また金属製の板ばねは弾発性を長期間にわたって維持する。
【００１２】
前記板ばねは、前記前面部と前記後面部と前記底面部に比べてそれらの幅の４分の１よりも狭い細幅であり、該板ばねを前記前面部と前記後面部と前記底面部の幅方向の中間に１本備えてもよい。
【００１３】
この構成では、樹脂に比べて強い弾発性を有する板ばねは、前面部と後面部の幅方向の中間を開方向に付勢する。板ばねの幅は前面部などの幅に比べてかなり狭いので、板ばねは前面部や後面部の外面に表れにくく、金属製でありながらもごつごつした印象が生じるのを防止する。
【００１４】
前記板ばねの両端部の外側に、それぞれ前記前面部と前記後面部の上部に対応する形状で可撓性を有する補助プレートを備えてもよい。
【００１５】
この構成では、補助プレートが板ばねの付勢力を前面部と後面部の上部全体に可撓性をもって伝達する。
【００１６】
前記裏地における前記板ばねが備えられる部位の周囲に、縫い付けられる他の部材との協働で前記板ばねを保持する縫い目を形成してもよい。
【００１７】
この構成では、縫い付けられる他の部材と裏地との間の板ばねを縫い目が保持するので、粘着剤で固定した場合に比べて長期間にわたって強力に、保持状態を維持する。
【００１８】
前記前面部または前記後面部のうち少なくとも一方の外面であって前記板ばねに対応する部位に、前記外面にポケットを形成するためのシート状のポケット形成シート部を重ねてもよい。
【００１９】
この構成では、前面部または後面部の外面のポケット形成シート部の内側のポケットに紙片などを差し込むと、板ばねがポケット内の紙片を押圧して、差し込み状態を保持する。
【考案の効果】
【００２０】
以上のようにこの発明によれば、板ばねが開口方向に付勢力を発揮するので開けやすく、この状態が保持されるので収納物の取出しが容易である。しかも、付勢を行う板ばねは、裏地の外側に設けられており収納空間に露出しない構成であるので、板ばねの下に収納物がもぐりこんだりして、取りだしにくくなったり、口が閉じなくなったりする不都合を発生しないようにすることができる。また板ばねは裏地の外側に存在して裏地と一体に変形するので、前面部と底板部と後面部が完全にひとつになった状態であり、収納空間を板ばねのない構成のポーチと同様に広く使える。しかも、板ばねは金属製であるので、長期間にわたって良好に使用できる。
【００２１】
このため非常に使いやすいポーチとなる。
【００２２】
請求項２の構成を採用すると、前述の効果と併せて、板ばねは前面部と後面部の幅方向の中間部に備えられるので、もっとも開いてほしい部分を良好に開くことができて使いやすい。一方で板ばねは、前面部と後面部の幅に比べてかなり狭いので、金属製でありながらも存在を外観上も感触上も目立たなくすることができ、裏地の外側に設けられたことと相まって、納まりがよい。
【００２３】
請求項３の構成を採用すると、前述の効果と併せて、補助プレートが板ばねの付勢力を前面部と後面部の上部全体に伝えて、前面部と後面部の上部に張りを与えるので、外観美麗であり、可撓性ゆえに感触も良好にすることができる。
【００２４】
請求項４の構成を採用すると、前述の効果と併せて、板ばねが縫い目によって強力に保持されるので、粘着剤のみで固定した場合のような不測の脱落がなく、板ばねを金属製としたことの利点を十分に発揮させることができる。
【００２５】
請求項５の構成を採用すると、前述の効果と併せて、ポケットに収納した紙片等は板ばねで押圧されて保持されるので、不測に脱落したりすることなくすることができる。開口しやすくし開口状態を保持するための板ばねを流用するので別途に特別な構成を採用しなくても、さらに使いやすいポーチとすることができる。
【図面の簡単な説明】
【００２６】
【図１】ポーチを開いた状態の斜視図。
【図２】閉じた状態のポーチの前面側を示す斜視図。
【図３】前面部、底面部及び後面部を構成する部分の分解斜視図。
【図４】閉じた状態のポーチの後面側を示す斜視図。
【考案を実施するための形態】
【００２７】
この考案を実施するための一形態を、以下図面を用いて説明する。  
図１はポーチ１１を開いた状態の前面側からの斜視図であり、図２はその閉じた状態を示す斜視図である。
【００２８】
これらの図に示すようにポーチ１１は、前面部１２と後面部１３が収納空間１４を挟んで相対向し底面部１５で連結一体化され、上面と両側面の三方が開く構造である。前面部１２と後面部１３は同じ形であり、正面視横長の長方形で、上部両側の角が丸くなっている。前面部１２と後面部１３の間の収納空間１４の厚さは適宜設定される。前面部１２と後面部１３の下端をつなぐ底面部１５は、前面部１２と後面部１３の幅と同じ幅に形成されている。
【００２９】
上面と両側面は、スライドファスナ１７を備えたスライドファスナテープ１１ａで一体に構成されている。これは、収納空間１４の幅をスライドファスナテープ１１ａの幅に設定したからであって、それよりも幅広にする場合には、別の生地を固定して上面と両側面を形成することもできる。
【００３０】
このようにポーチ１１は、主に前面部１２と後面部１３と底面部１５を構成する略長方形の本体シート１１ｂと、これの周囲に縫着されるスライドファスナテープ１１ａで構成されている。このほか、ポーチ１１は収納空間１４に仕切り１１ｃを備えている。仕切り１１ｃは、収納空間１４を厚さ方向に区画するものである。仕切り１１ｃは、口を閉じるとつづら折り状に折りたたまれるマチ布１８を両側に有し、マチ布１８の両端は前面部１２と後面部１３の内面に取り付けられる。
【００３１】
前述の本体シート１１ｂは、図３に示したように、内面に裏地２１を備えるとともに、この裏地２１の外側に、前面部１２と後面部１３が離間する方向に付勢する帯状をなす金属製の板ばね２２を備えている。具体的には本体シート１１ｂは、略長方形の表地２３と、これに対応する形状の裏地２１を有し、これらの間に板ばね２２と、補助プレート２４が固定される。
【００３２】
表地２３は、柔軟な適宜の生地などのシート材で構成され、長方形の長手方向の中間部に底面部１５を形成する底面部域１５ａを有し、その長手方向の一方側に前面部１２を形成する前面部域１２ａ、他方側に後面部１３を形成する後面部域１３ａが形成されている。図３中、表地２３に表した仮想線はこれらの境界である。
【００３３】
裏地２１は、表地２３と同じ形状であり、反対側を透視させない不透明で柔軟なシート材で構成されている。
【００３４】
板ばね２２は細幅帯状である。具体的には板ばね２２は、前面部１２と後面部１３と底面部１５に比べてそれらの幅の４分の１よりも狭い幅、好ましくは１０分の１から１２分の１程度、たとえば前面部１２等の幅が１２０ｍｍ程度である場合に、１０ｍｍ程度などに設定するとよい。
【００３５】
板ばね２２の長さは、表地２３と裏地２１の長手方向の長さよりも短い。これは、図１、図２に示したように、板ばね２２の両端位置を前面部１２と後面部１３の上端から少し下がった位置に設定するためである。図３中、裏地２１に表した仮想線は、板ばね２２が固定される位置を示す線である。
【００３６】
補助プレート２４は、前面部１２と後面部１３の上部に対応する形状で可撓性を有し、板ばね２２の両端部の外側に備えられる。具体的には補助プレート２２は、前面部１２または後面部１３を形成する前面部域１２ａまたは後面部域１３ａの形状と上部においては同一に形成されているが、その高さは、前面部域１２ａまたは後面部域１３ａよりも低く形成されている。このため、補助プレート２４を前面部域１２ａまたは後面部域１３ａに重ねると、前面部域１２ａまたは後面部域１３ａの下部において、補助プレート２４のない部位ができることになる。補助プレート２４の下端は直線状であり、補助プレート２４は全体として略長方形である。図３中、補助プレート２４に表した仮想線は、板ばね２２が固定される位置を示す線である。
【００３７】
このような部材で構成される本体シート１１ｂは、表地２３の内面に補助プレート２４、板ばね２２、裏地２１と順に重ね合わせて一体にする。このとき、裏地２１における板ばね２２が備えられる部位の周囲に、縫い付けられる他の部材、つまり補助プレート２４（補助プレート２４を省略する場合には別途に用いられる他のシート材や表地２３）との協働で板ばね２２を保持する縫い目２５が形成される（図１参照）。縫い目２５は、板ばね２２の位置が定まるように板ばね２２の縁の近くに形成される。縫着に先立って両面テープ等で板ばね２２を補助プレート２４や裏地２１に対して固定しておいてもよい。
【００３８】
また図４に示したように、ポーチ１１の前面部または後面部の少なくとも一方にポケット１９が形成される。図４は後面部にポケット１９を形成した例を示す。このため、本体シート１１ｂにおける後面部１３の外面であって板ばね２２に対応する部位に、外面にポケット１９を形成するためのシート状のポケット形成シート部２６が重ねられている。ポケット形成シート部２６は、後面部１３と同じ幅だが後面部１３よりも低く形成される。これはポケットシート部２６の上端縁の位置を後面部１３の上端よりも下げるためである。ポケット形成シート部２６を後面部１３に重ねるのに際しては、両側縁のみが本体シート１１ｂに縫着される。ポケット形成シート部２６は表地と一体でも別体でもよい。
【００３９】
本体シート１１ｂの内面に前述のマチ布１８を縫着するとともに、外面にポケット形成シート部２６を縫着し、本体シート１１ｂを折り曲げた状態にして全周にスライドファスナテープ１１ａを取り付けて縁布２７で被覆すればポーチ１１は完成する。
【００４０】
以上のように構成されたポーチ１１は、スライドファスナ１７を閉じた状態では、収納空間１４に何も入れていなくても板ばね２２と補助プレート２４の存在によって一定の張りのある状態になっている。膨らんだ状態であっても、何も入っていない状態であれば、押されることによって小さくなるので、不必要に場所を取ることはない。
【００４１】
そして開口すると板ばね２２の付勢力によって、前面部１２と後面部１３の上部が離れて自動的に口を広げた状態になり、この状態が保たれる。開口状態は、可撓性を有する補助プレート２４を備えているため、全体が自然に湾曲するため、美麗である。しかも、補助プレート２４は、前面部１２や後面部１３の高さよりも短くして、前面部１２や後面部１３の下部に存在しないようにしているので、底面部１５近傍の変形でも自然な曲面が得られ、良好な外観が得られる。
【００４２】
十分に開いてしかも美麗な開口状態が得られるので、収納空間１４に物を入れたり入れた物を取りだしたりすることが容易に行える。小銭などのように種類がたくさんあるものの場合には、選んで取りだすことが極めて容易であり、体裁もよい。しかも、板ばね２２は前面部１２と後面部１３の幅方向の中間に備えられているので、幅方向の中間が最も広がり、取りだしやすさは格別である。
【００４３】
そのうえ、板ばね２２は裏地２１よりも外側、つまり本体シート１１ｂの内層に備えられているので、板ばね２２が収納物と直接接することはなく、収納物を取りだしにくくなったり、口を閉じにくくなったり、板ばね２２の機能を阻害したりすることがなく、使いやすい。裏地２１は板ばね２２の視認を防ぐので見た目もよい。
【００４４】
また板ばね２２は金属製であるので耐久性がよく、長期間にわたって良好に使用できる。このような板ばね２２ではあるが、細幅に形成するとともに、その長さを前面部１２と底面部１５と後面部１５の長さよりも短くして、板ばね２２の両端に対応する部位に前面部１２または後面部１３と同じ幅の補助プレート２４を備えているので、補助プレート２４の可撓性との協働で、全体として柔軟性のある張を付与することができ、外観も、触ったときの感触も良好なポーチ１１となる。
【００４５】
板ばね２２の耐久性の良さは、板ばね２２の保持を縫着によって行うことからも得られる。すなわち、粘着剤に頼ると経年変化や変形に伴ってかかる負荷で粘着部分が外れやすくなるが、縫着であるので縫い目２５が外れない限り保持状態を維持できる。
【００４６】
さらに、後面部１３における板ばね２２に対応する部位にポケット形成シート部２６を備えてポケット１９を形成したので、図４に示したように、このポケット１９に例えば紙片３１を差し込んで保持したときに板ばね２２が紙片３１を押しつけることになるので、押圧力を発揮させて強力な保持を実現することができる。このため、単に差し込んだだけでも、不測に脱落したりすることない保持ができ、前述のように非常に使いやすいポーチに付加価値を付けることができる。
【００４７】
以上の構成はこの発明を実施するための一形態の構成であって、その他の構成を採用することもできる。
【００４８】
たとえば開口部分にスライドファスナに代えてがまぐちの口金など、その他の開閉手段を備えてもよい。
【符号の説明】
【００４９】
１１…ポーチ
１２…前面部
１３…後面部
１４…収納空間
１５…底面部
１９…ポケット
２１…裏地
２２…板ばね
２４…補助プレート
２５…縫い目
２６…ポケット形成シート部
【図１】
0003200976.tif 000003
【図２】
0003200976.tif 000004
【図３】
0003200976.tif 000005
【図４】
0003200976.tif 000006